(57)【要約】【課題】ゴルフ場において、プレイヤーのプレイを支援し、安全を図り、プレイを円滑に進行させ、プレイヤー及びカートの管理を確実かつ効率的に行わせ、かつこれをリアルタイムに実行することができるシステムを提案すること。【解決手段】位置計測機能と、無線通信機能と、送信された情報を表示する表示機能を備えた位置測定装置、無線通信機能と、位置計測機能と、送信された情報を表示する表示機能と、表示画面操作機能とを備えた移動体に搭載された情報表示操作装置と、無線通信機能、表示機能および地図情報システムを備えた管理サーバーとが、無線通信ネットワークを介して接続するように構成されているゴルフ場における情報表示及び管理システム。【選択図】    図５
2004173792.tif 000002
【特許請求の範囲】
【請求項１】
位置計測機能と、無線通信機能と、送信された情報を表示する表示機能を備えた位置測定装置、無線通信機能と、位置計測機能と、送信された情報を表示する表示機能と、表示画面操作機能とを備えた移動体に搭載された情報表示操作装置と、無線通信機能、表示機能および地図情報システムを備えた管理サーバーとが、無線通信ネットワークを介して接続するように構成されているゴルフ場における情報表示及び管理システム。
【請求項２】
前記地図情報システムが、地形図データを記憶する記憶機能と、地図データを記憶する記憶機能と、コース情報を記憶する記憶機能と、個人情報を記憶する記憶機能とを備えており、受信された位置情報および記録された情報に基づいて必要な地理情報を生成するものであることを特徴とする請求項１に記載の情報表示及び管理システム。
【請求項３】
前記位置測定装置、情報表示操作装置および管理サーバーが、音声発信機能および音声再生機能を有していることを特徴とする請求項１または２に記載の情報表示及び管理システム。
【請求項４】
前記位置測定装置が微弱電波を送受信するものであって、前記移動体に搭載された微弱電波送受信機を通じて無線通信ネットワークと接続されるように構成されていることを特徴とする請求項１〜３のいずれかに記載の情報表示及び管理システム。
【請求項５】
前記位置測定装置が、その送信を一時的に保存する機能を有し、前記情報表示操作装置に内臓もしくは接続されているデータストック機を通じて、無線通信ネットワークと接続されるように構成されていることを特徴とする請求項１〜３のいずれかに記載の情報表示及び管理システム。
【請求項６】
ゴルフ場において、位置計測機能と、無線通信機能と、送信された情報を表示する表示機能を備えた位置測定装置、無線通信機能と、位置計測機能と、送信された情報を表示する表示機能と、表示画面操作機能とを備えた移動体に搭載された情報表示操作装置と、無線通信機能、表示機能および地図情報システムを備えた管理サーバーとが、無線通信ネットワークを介して接続するように構成されているシステムを用いて、位置測定装置および／または情報表示操作装置から送信された位置情報および記録された情報に基づいて、地図情報システムによって生成した地図情報を情報表示操作装置および／または管理サーバーに表示させるようにした情報表示及び管理システム。
【請求項７】
前記地図情報が、コースに関する情報であって、少なくとも情報表示操作装置に表示させるようにした請求項６に記載の情報表示及び管理システム。
【請求項８】
前記地図情報が、地図上に移動体の位置が表わされた情報であって、移動体の運行状況を認識できるようにした請求項６に記載の情報表示及び管理システム。
【請求項９】
前記地図情報が、複数のパーティのボール位置および／または飛距離を地図上に表示することによりコンペの実施を支援できるようにした請求項６に記載の情報表示及び管理システム。
【請求項１０】
ゴルフ場において、位置計測機能と、無線通信機能と、送信された情報を表示する表示機能を備えた位置測定装置、無線通信機能と、位置計測機能と、送信された情報を表示する表示機能と、表示画面操作機能とを備えた移動体に搭載された情報表示操作装置と、無線通信機能、表示機能および地図情報システムを備えた管理サーバーとが、無線通信ネットワークを介して接続するように構成されているシステムを用いて、位置測定装置および／または情報表示操作装置から送信された位置情報および記録された情報に基づいて、地図情報システムによって生成したピンまたはグリ−ンまでの距離情報を位置測定装置および／または情報表示操作装置に表示させるようにした情報表示及び管理システム。
【請求項１１】
ゴルフ場において、位置計測機能と、無線通信機能と、送信された情報を表示する表示機能を備えた位置測定装置、無線通信機能と、位置計測機能と、送信された情報を表示する表示機能と、表示画面操作機能とを備えた移動体に搭載された情報表示操作装置と、無線通信機能、表示機能および地図情報システムを備えた管理サーバーとが、無線通信ネットワークを介して接続するように構成されているシステムを用いて、位置測定装置および／または情報表示操作装置から送信された位置情報および記録された情報に基づいて生成された個人、パーティまたは複数のパーティのスコア情報を、前記表示機能の少なくとも一つに表示させるようにした情報表示及び管理システム。
【請求項１２】
前記スコア情報が、グラフィックスコアカードである請求項１１に記載の情報表示及び管理システム。
【発明の詳細な説明】
【０００１】
【発明の属する技術分野】
本発明は、ゴルフ場における情報利用システムに関する。詳しくは、ゴルフ場におけるプレイ支援および管理システムのための情報利用システムに関する。さらに詳しくは、本発明は無線通信ネットワークと地図情報システムを含む、ゴルフ場におけるプレイの支援と管理をリアルタイムに実行することを可能とする情報のマルチ利用システムを提供する。
【０００２】
【従来の技術】
ゴルフ場においては、複数のプレイヤーがパーティを組み、各ホールで各プレイヤーがコースの状況判断に基づいてボールを打ちながらホールアウトするのが基本的なプレイパターンである。その際、コースの状況判断は、通常地図などを参照しながら、目視によって行われる。また、ホールアウト後はそのホールの成績を用紙に記入する。
また、ゴルフ場における運営上特に気を配られる事項の一つに、前のパーティに接近しすぎる結果、打球により事故が起ることがないようにするという安全の維持がある。
【０００３】
これまでにゴルフ場におけるゴルファーのプレイを助け、ゴルフ場での安全を図るための提案が種々なされてきた。たとえば、特開平６−１５０２２号公報では、ゴルファーがプレイ時に携帯して、ＧＰＳによって位置を測定し、打球経路を地図上に表示することができ、自らの成績を記録できる装置が提案されている。
【０００４】
また特開平５−２３４１０号公報においては、ＧＰＳで得た複数のゴルフカ―トの現在地デ―タを無線信号にて発信し、この無線信号を受信してその現在地デ―タに応じてゴルフ場の地図にカ―トの現在地をパタ―ンにて重畳した映像を表示器に表示するゴルフカ―ト位置表示システムが提案されている。
【０００５】
さらに、特開２００１−６１８号公報には、ゴルフプレイヤーまたはキャディがプレイ中にボール位置記録装置を携帯し、レストハウス等に設けられた記録作成装置において、データ伝送されたボール位置記録データと、接続された外部記憶装置に格納されたゴルフ場の各ホールの地形情報から、ゴルフ場の各ホールの地形情報とを組合せたプレー記録を作成することが提案されている。
【０００６】
しかしながら、ゴルフ場において、プレイヤーのプレイを支援し、安全を図り、プレイを円滑に進行させ、プレイヤー及びカートの管理を確実かつ効率的に行わせ、かつこれをリアルタイムに実行することができるシステムは未だに提案されていない。
本発明者らは、このようなシステムの開発を鋭意続けた結果本発明に到達したのである。
【０００７】
【特許文献１】
特開平６−１５０２２号公報
【特許文献２】
特開平５−２３４１０号公報
【特許文献３】
特開２００１−６１８号公報
【０００８】
【発明が解決しようとする課題】
本発明の目的は、ゴルフ場において、プレイヤーのプレイを支援し、安全を図り、プレイを円滑に進行させ、プレイヤー及びカートの管理を確実かつ効率的に行わせ、かつこれをリアルタイムに実行することができるシステムを提案することにある。
本発明の目的は、ゴルフ場におけるプレイの支援と管理をリアルタイムに実行することを可能とする情報のマルチ利用システムを提供することにある。
本発明の目的は、ゴルフ場におけるプレイの支援と管理をリアルタイムに実行することを可能とするための情報表示及び管理システムを提供する。
【０００９】
【課題を解決するための手段】
本発明は、位置計測機能と、無線通信機能と、送信された情報を表示する表示機能を備えた位置測定装置、無線通信機能と、位置計測機能と、送信された情報を表示する表示機能と、表示画面操作機能とを備えた移動体に搭載された情報表示操作装置と、無線通信機能、表示機能および地図情報システムを備えた管理サーバーとが、無線通信ネットワークを介して接続するように構成されているゴルフ場における情報表示及び管理システムを提供する。
【００１０】
前記地図情報システムが、地形図データを記憶する記憶機能と、地図データを記憶する記憶機能と、コース情報を記憶する記憶機能と、個人情報を記憶する記憶機能とを備えており、受信された位置情報および記録された情報に基づいて必要な地理情報を生成するものである前記した情報表示及び管理システムは、本発明の好ましい態様である。
【００１１】
前記位置測定装置、情報表示操作装置および管理サーバーが、音声発信機能および音声再生機能を有している前記した情報表示及び管理システムは、本発明の好ましい態様である。
【００１２】
本発明は、ゴルフ場において、位置計測機能と、無線通信機能と、送信された情報を表示する表示機能を備えた位置測定装置、無線通信機能と、位置計測機能と、送信された情報を表示する表示機能と、表示画面操作機能とを備えた移動体に搭載された情報表示操作装置と、無線通信機能、表示機能および地図情報システムを備えた管理サーバーとが、無線通信ネットワークを介して接続するように構成されているシステムを用いて、位置測定装置および／または情報表示操作装置から送信された位置情報および記録された情報に基づいて、地図情報システムによって生成した地図情報を情報表示操作装置および／または管理サーバーに表示させるようにした情報表示及び管理システムを提供する。
【００１３】
本発明は、ゴルフ場において、位置計測機能と、無線通信機能と、送信された情報を表示する表示機能を備えた位置測定装置、無線通信機能と、位置計測機能と、送信された情報を表示する表示機能と、表示画面操作機能とを備えた移動体に搭載された情報表示操作装置と、無線通信機能、表示機能および地図情報システムを備えた管理サーバーとが、無線通信ネットワークを介して接続するように構成されているシステムを用いて、位置測定装置および／または情報表示操作装置から送信された位置情報および記録された情報に基づいて、地図情報システムによって生成したピンまたはグリ−ンまでの距離情報を位置測定装置および／または情報表示操作装置に表示させるようにした情報表示及び管理システムを提供する。
【００１４】
本発明は、ゴルフ場において、位置計測機能と、無線通信機能と、送信された情報を表示する表示機能を備えた位置測定装置、無線通信機能と、位置計測機能と、送信された情報を表示する表示機能と、表示画面操作機能とを備えた移動体に搭載された情報表示操作装置と、無線通信機能、表示機能および地図情報システムを備えた管理サーバーとが、無線通信ネットワークを介して接続するように構成されているシステムを用いて、位置測定装置および／または情報表示操作装置から送信された位置情報および記録された情報に基づいて生成された個人、パーティまたは複数のパーティのスコア情報を、前記表示機能の少なくとも一つに表示させるようにした情報表示及び管理システムを提供する。
【００１５】
【発明の実施の形態】
本発明は、位置計測機能と、無線通信機能と、送信された情報を表示する表示機能を備えた位置測定装置、無線通信機能と、位置計測機能と、送信された情報を表示する表示機能と、表示画面操作機能とを備えた移動体に搭載された情報表示操作装置と、無線通信機能と地図情報システムとを備えたサーバーコンピュータである管理サーバーとが、無線通信ネットワークを介して接続するように構成されているゴルフ場における情報表示及び管理システムを提供するものである。
【００１６】
本発明によれば、ゴルフ場において、ゴルファーのプレイを支援し、安全を図り、プレイを円滑に進行させ、プレイヤー及びカートの管理を確実かつ効率的に行わせ、かつこれをリアルタイムに実行することができるシステムが提供される。
【００１７】
また、本発明によれば、ゴルフ場のＩＴインフラ化における情報のマルチ利用を可能とするシステムが提供される。
【００１８】
図１は、本発明を構成する位置測定装置１０、移動体に搭載された情報表示操作装置２０および管理サーバー３０が無線通信ネットワーク（コース内無線ＬＡＮ）を介して接続されている様子を示す概略図である。本発明では、ゴルフ場の地形に応じてゴルフ場全体をカバーし得るように設置された１または２以上の無線通信中継基地を有するが、図１では１−１、１−２および１−３が無線通信中継基地である。管理サーバー３０は、この無線通信ネットワークを介して、通常カートに搭載される移動体２−１、２−２および２−３にそれぞれ搭載された情報表示操作装置２０−１、２０−２および２０−３、並びに情報表示操作装置２０−３の周辺にあって、各プレイヤーが携帯することとなる位置測定装置（以下携帯端末と呼ぶことがある）１０−１、１０−２および１０−３と接続されている。２０−１および２０−２の周辺にも携帯端末が存在するが、記載は省略されている。
【００１９】
図１において、移動体に搭載された情報表示操作装置２０−１、２０−２および２０−３は、最寄りのまたは通信事情の最もよいの無線通信中継基地を経由して無線通信ネットワークと接続される。また、情報表示操作装置２０−３の周辺にある位置測定装置（以下携帯端末と呼ぶことがある）１０−１、１０−２および１０−３は、好ましくは、後述する形態で移動体２−３または情報表示操作装置２０−３を経由して無線通信ネットワークと接続される。
【００２０】
図２は、携帯端末１０の構成を示す図である。携帯端末１０には位置測定手段１１、無線通信手段１２、表示手段１３、音声発信手段１４および音声再生手段１５が備えられている。
【００２１】
位置測定手段１１は、携帯端末の位置を測定する役割を果たすもので、位置情報は無線通信手段を通じて管理サーバー、または管理サーバーおよび移動体に搭載された情報表示操作装置に送信される。位置を測定する方法としては、種々の公知の方法を採用することができる。たとえば、人工衛星を使用した衛星航法システムであるＧＰＳ（Ｇｌｏｂａｌ  Ｐｏｓｉｔｉｏｎｉｎｇ  Ｓｙｓｔｅｍ）を好適なものとして挙げることができる。また、このＧＰＳの検出位置精度を向上させるために、位置補正データをＦＭ多重放送を利用して送信し、高精度な位置情報を得るＤ−ＧＰＳ（Ｄｉｆｆｅｒｅｎｔｉａｌ  Ｇｌｏｂａｌ  Ｐｏｓｉｔｉｏｎｉｎｇ  Ｓｙｓｔｅｍ）を利用してもよい。さらには、超音波を利用した位置測定システムなどを利用することもできる。
【００２２】
中でも、位置を測定する方法としては、Ｄ−ＧＰＳを含むＧＰＳが好ましい。ＧＰＳを利用する場合、位置測定手段１１は、ＧＰＳ受信機と受信したＧＰＳ情報をコンピュータ読取可能言語に変換するプログラムを備えて入ることが好ましい。
【００２３】
携帯端末で得られた位置情報は、無線通信手段１２を通じて自動的に管理サーバーに送信させることもできるし、一旦移動表示操作装置２０に送信し、移動表示操作装置を通じて管理サーバー３０に送信させることも可能である。管理サーバーに送信させる際に、携帯端末からの送信を微弱電波とし、カートなどの移動体に備えられた無線送受信機を通じて管理サーバーに送信する方法は好ましい態様である。また、移動表示操作装置を通じて管理サーバー３０に送信させる方法をとる場合、携帯端末からの微弱電波を受信し、データを一時的に保存する微弱電波送受信機を移動表示操作装置に内蔵させるか、外部に接続しても持たせてもよい。いずれの送信方法を採用しても本発明の特徴であるリアルタイムのサービスは可能であるが、携帯端末から管理サーバーに送信する方法がより好ましい。
【００２４】
携帯端末で得られた位置情報は、随時自動的に送信されるが、ボール位置の情報は、プレイヤーがボールの位置でボール位置情報として入力することによって得ることによって、その地点での位置情報がボール位置情報として得られる。
【００２５】
携帯端末１０には、表示手段１３が備えられている。表示装置１３には、携帯端末から送信された位置情報を基に管理サーバーで作成された情報を受信して表示させることができる。携帯端末の表示手段において表示される情報として、特に制限はないが、携帯端末における表示画面の大きさの点から、数字を含む文字情報、例えばピンまでの距離の表示などに適している。
【００２６】
携帯端末１０に表示される情報は、通常管理サーバーから移動体に搭載された情報表示操作装置に送信され情報表示操作装置を通じて携帯端末に受信させて表示させる形式とすることもできる。
【００２７】
携帯端末１０が、また音声発信手段１４および音声再生手段１５を備えていてもよい。音声発信手段１４にはマイクとマイクが集音する音をデジタル信号に変換して音データとする機能を備えていることが好ましい。これらの手段を備えてることにより、携帯端末間、また情報表示操作装置や管理サーバーとの通話が可能となり、ゴルフ場にＩＰ電話網を構築することができる。また、音声発信手段１４および音声再生手段１５を利用して危険防止情報やコース案内情報を音声としてプレイヤーに伝えることができる。なお、携帯端末が発する音声が気になる場合には、イヤーホーンを用いて聞けるようにすることは、プレイを快適にするために好ましい配慮である。
【００２８】
本発明の携帯端末として使用する機材には特に制限はなく、上記した機能を有するものであればよい。
【００２９】
図３は、情報表示操作装置２０の構成を示す図である。情報表示操作装置２０は通常カートに搭載されるが、携帯端末同様に位置測定手段２１、無線通信手段２２、音声発信手段２４および音声再生手段２５が備えられている。
【００３０】
さらに情報表示操作装置２０には、表示操作手段２３が備えられている。表示操作手段２３は、管理サーバーから送信される文字および画像情報を表示することができるとともに、情報の修正や画面の切替えなどの操作機能を有するものである。表示操作手段には、タッチパネルを前面に装着したタッチスクリーンを形成する液晶パネルなどからなる表示操作装置が好適である。
【００３１】
情報表示操作装置２０も位置の測定を行って位置情報を管理サーバーに送信する。情報表示操作装置２０からの位置情報は、カートなどの移動体の位置表示および全移動体管理用などに利用される。
情報表示操作装置２０に備えられた音声発信手段２４および音声再生手段２５の役割に付いては、前記携帯端末について述べたと同様である。
【００３２】
また、情報表示操作装置２０に、携帯端末からの微弱電波を受信し、データを一時的に保存する微弱電波送受信機であるデータストック装置２６を、必要に応じて内蔵させるか外部に接続して持たせてもよい。
【００３３】
図４は、管理サーバー３０の構成を示す図である。管理サーバー３０には、地図情報システム３１が備えられている。地図情報システム３１は、与えられたデータと記憶手段に記録されたデータから必要とするデータを作成するための情報処理プログラム３２と、各種データベースを記録する記憶手段３４〜４０と、種々の目的に応じたデータの作成を可能とするアプリケーションシステム３３を有している。
【００３４】
通常地理情報システムは、ＧＩＳ（Ｇｅｏｇｒａｐｈｉｃ  Ｉｎｆｏｒｍａｔｉｏｎ  Ｓｙｓｔｅｍｓ）と略称され、地形図、カート道路地図、コース地図、案内図などを示す電子地図上における緯度、経度、高度等の座標情報を基準とする地理的な位置情報や空間情報とともに、任意の対象物に関する情報を関連づけて提供し管理するプログラムとして知られている。
【００３５】
本発明の地理情報システム３１においては、受信された位置情報、並びに記録された地形図データおよび他のデータに基づいて必要な地理情報を生成するものである。地理情報システム３１には、各種データベースを記録する記憶手段が備えられている。たとえば、ゴルフ場の地形を記録する地形図データベースを格納する記憶手段３４、全コース図、各コース図の平面図および縦断図、各グリーン図の平面図および縦断図、カート走行道路図などの地図データを記録する地図データベースが格納された記憶手段３５、各プレイヤーの情報が記録する個人データベースが格納された記憶手段３６、各コースの情報や気象情報が記録された各種情報データベースが格納された記憶手段３７、カート情報、携帯端末情報、顧客グループ情報など移動体の情報が記録された移動体データベースが格納された記憶手段３８、進行管理、安全管理、設備管理などの管理情報を記録するシステム管理データベースが格納された記憶手段３９、音情報が記録された音データベースが格納された記憶手段４０などである。本発明の地図情報システムにおいて地形図データベースは重要な役割を果たすものである。
【００３６】
携帯端末および情報表示操作装置から送信される位置情報は、管理サーバー３０において、誤差計算プログラムおよび位置補正プログラムによって補正して正確な位置情報とする位置情報修正プログラムを備えていることが好ましい。
【００３７】
また、管理サーバー３０には、無線通信手段４１、音声発信手段４２および音声再生手段４３が備えられている。管理サーバー３０の無線通信手段は、送受信の機能を有するとともに、本発明のシステムにおける無線通信ネットワークを管理する移動体認識システムを構成するもので、移動体情報プログラムを備えていることが好ましい。
【００３８】
さらに管理サーバー３０には、表示手段４４が備えられている。表示手段４４は、複数の画面から構成されていることが好ましい。図４では、表示画面４４−１は、ゴルフ場の情報が表示されておりゴルフ場の管理用に供されている。また表示画面４４−２は、プレイヤーのサービス用に各種データの表示およびプリントアウトやファックスなどの出力用に供されている。管理サーバーには、そのような出力の要請に応じるため出力手段４５を備えている。
【００３９】
管理サーバー３０では、携帯端末１０、情報表示操作装置２０から送信された位置情報および音情報を受信し、得られた情報および記録されている情報を基に地図情報システムを用いて所定のデータを作成するが、そのデータは表示手段１３、表示操作手段２３および表示手段４４で表示可能な方式、例えばＨＴＭＬ言語で作成されて、携帯端末１０、情報表示操作装置２０送信して表示されるとともに管理サーバー３０において表示され、またプレイヤーへのサービスなどに利用される。
【００４０】
図５には、図２〜４に示した構成の管理サーバー３０と、情報表示操作装置２０（２０−１、２０−２、２０−３）と、情報表示操作装置２０−３の近辺にある携帯端末１０（１０−１〜１０−３）とが、通信無線ネットワーク１を介して接続されている様子を示している。図５では、携帯端末が上記したように微弱電波送受信機などを通じて直接通信無線ネットワークと接続される場合と、情報表示操作装置を通じて接続される場合との両方が可能であることを示している。図５でも情報表示操作装置２０−１および２０−２の近辺に携帯端末はあるが、図１と同様に記載を省略している。
【００４１】
図６は、携帯端末１０、情報表示操作装置２０および管理サーバー３０が無線通信ネットワークを介して接続されてデータが送信され、表示手段１３および表示操作手段２３に表示される態様を示すフローチャートである。
【００４２】
図６に示した態様では、携帯端末１０の位置測定手段１１でＧＰＳによる位置測定を行い、ＸＹ座標に変換し、コンピュータ読取可能データに変換して、音声発信手段１４で作成される音データとともに、微弱電波送受信機を通じて無線通信ネットワークによって管理サーバーに送信される。管理サーバー３０で受信されたデータは、地図情報システム３１において記録されているデータと共に情報処理プログラムによって処理し、所定のデータが作成され、無線通信ネットワークによって情報表示操作装置２０に送信され、表示操作手段２３によって表示されるとともに、無線通信ネットワークおよび微弱電波送受信機を通じて携帯端末１０に送信され、表示手段１３によって表示される。
【００４３】
表示操作手段２３においては、表示されたデータの修正や画面の切替えが可能であり、新たなデータを要求することができる。データの修正および新たなデータの要求は、無線通信ネットワークによって管理サーバーに送信され、データの修正を行い、新たなデータを作成して、無線通信ネットワークによって移動体に搭載された情報表示操作装置２０に送信され、表示操作手段２３によって表示される。
また、地図情報システム３１によって作成されたデータは、管理サーバーの表示手段４３でも表示することができるし、出力手段４４によって出力することができる。
【００４４】
図７は、実際にプレイヤーがプレイする際の、無線通信ネットワークを介して接続された携帯端末１０、情報表示操作装置２０および管理サーバー３０によるプレイの支援の態様を具体的に示すフローチャートである。
【００４５】
図７では、管理サーバーの地図情報システムには、その日のスタート位置やピン位置などのコース情報が入力されてデータが更新されており、またプレイヤーに関するプレイヤー情報が入力される。プレイヤーは、携帯端末によってスタート位置で第１打のボール位置を入力する。ボール位置は位置データとして管理サーバーに送信され位置情報を得る。プレイヤーは、第１打の落下地点でボール位置を入力する。落下地点の位置は位置データとして管理サーバーに送信され必要な補正を行って正確な位置情報を得て地図情報システム上に位置付けされる。地図情報システム上のデータはＨＴＭＬに変換され、スコアカードの該当個所に１を加えて情報表示操作装置に送信され、表示操作手段２３によって表示される。プレイヤーは、表示操作手段２３に表示されたデータを確認し必要があれば修正を行う。また、表示操作手段２３に表示されるデータには、そのコースの平面図、断面図、ボール位置、ハザード位置などのコース情報も含まれており、さらに情報表示操作装置に送信されるデータには、音データも含まれており、次打のためのアドバイスを音声で受け取ることもできる。
【００４６】
続く打球も同様にして進められるが、打球地点からピンおよびグリ−ンエッジまでのヤーデージ情報は、管理サーバーから携帯端末に送信されており、携帯端末の表示手段でヤーデージ情報を得ることができる。
【００４７】
グリーンに到達したときには、ボール位置を入力すると、ＧＩＳ上のデータが管理サーバーから情報表示操作装置に送信され、グリーンのアンジュレーション、パッティングライン、芝目の向きなどのグリーン情報を情報表示操作装置の表示操作手段に表示されることができる。
【００４８】
当該ホールのすべての情報が集約されて表示操作手段に表示されるので、各ホール毎に確認するとともに、ラウンド終了後に各ホール毎にデータを確認することができるし、後日参考にするためのデータとして記録することができる。
【００４９】
プレイの結果はプレイデータとして、プレイヤーデータベースに記録される。そのデータは、例えば、コース名、ホールナンバー、打球の経路と飛距離、ホール毎のスコア、使用クラブ、ペナルティー、パット数などである。そのプレイデータに基づいて、打球の経路をホール図上に表示することができる。プレイデータには、必要に応じて当日の風向き、風力などの気象データを盛り込むことができる。プレイヤーは、プレイ中にリアルタイムに情報を表示させることができるので、これらのプレイデータを移動表示操作装置上に呼び出して、同じコースの過去のプレイ実績を参考にして、コース攻略の戦略を練ることが可能となる。
【００５０】
また、過去のプレイデータと、現在のコースの状況から計算して、そのプレーヤーが次に使用すべきクラブの番手を、移動表示操作装置上または携帯端末上に表示するか、音声でアドバイスすることもできる。換言すれば、本発明のシステムにキャディの役割をさせることが可能となる。
【００５１】
またこれらのプレイデータは、各ゴルファーのハンデキャップの決定、期間アベレージ、年間成績などの算出に用い、会員やビジターのサービスに利用することができる。
【００５２】
本発明のシステムを利用することにより、コース図上に打球の経路が飛距離と共に表示されることができるので、ゴルファーは、視覚的、数量的に把握することによって自らの技術を正確に把握して、技術の向上に役立てることができる。
【００５３】
本発明のシステムによれば、プレイヤーにコースの平面図、断面図、ボール位置、ハザード位置などのコース情報を地図上に表示して提供することや、打球方向の目標や、ハザード、危険地帯などを地図上に示すことや、コース毎の地図を付したスコアカードを提供することなどグラフィカルな表示でプレイを支援することが可能となる。図８には本発明で提供が可能となるアプリケーションシステムの例を示したが、このようなグラフィカルな表示でプレイを支援できるシステムをグラフィカルユーザーインターフェースと表現して記載した。本発明のシステムに、プレイヤーが自分でスコアカードを記入する必要がなくなるし、過去のスコアも記録して、参照したり、統計をとったりすることができるので、スコアブックの役割をさせることもできる。
【００５４】
図９には、移動表示操作装置上に表示されたグラフィックスコアカードの一例が示されている。また図１０には携帯端末上にピンまでのヤーデージが表示されている様子が示されている。
【００５５】
本発明のシステムによれば、視認できないブラインド地域にいる移動体やプレイヤーの情報をリアルタイムに提供することができるので、プレイヤーの安全進行を図ることができる。図８では移動体運用システムと表現されている。
【００５６】
本発明のシステムによれば、全カートの位置を地図上に表示し、それらとのデータおよび音データの伝達がリアルタイムに実行できるので、カートなどの移動体の円滑な運行を可能とする。図８では移動体管理システムと表現されている。
【００５７】
本発明のシステムによれば、ピンやグリーンまでの距離、打球方向の目標、目標地点との高低差、ハザードや危険地帯の存在などの情報、過去の飛距離情報から導きだした使用クラブの情報などコース情報を表示画面や音声で提供できるので、コース案内の役割と、キャディの役割をさせることができる。図８では、エリア情報システムと表現されている。
【００５８】
本発明のシステムによれば、携帯端末１０、情報表示操作装置２０および管理サーバー３０が無線通信ネットワークを介して接続されており、それぞれが音声発信手段および音声再生手段を備えることができるので、プレイヤー、ゴルフ場およびキャディ間の通話が自由に行えることになる。すなわちゴルフ場にＩＰ電話網を構築することが可能となる。図８では、エリアＩＰ電話網システムと表現されている。
【００５９】
本発明のシステムによれば、複数のパーティのスコア、飛距離、ボール位置などを地図上に表示し、管理することができるので、コンペを行っている複数のパーティについてドライビングコンテストおよびニアピンコンテストの結果をグラフィック表示することができる。また、全スコアを集計したスコアカードを作成して表示したり、定められた方式で順位を決定することができるので、ゴルフコンペをより楽めるよう支援できる。図８では、グループ情報処理システムと表現されている。
【００６０】
本発明のシステムによれば、ゴルフ場の芝の状態、農薬散布情報、修理が必要な個所などのゴルフ場情報を地図上に表示できるので、ゴルフ場を様子を瞬時に把握し、ゴルフ場管理に活用することができる。また、地形図を地目ごとに表示することができるので、正確な面積の算出が可能となり、税務書類の作成に役立てることもできる。図８では、エリア管理システムと表現されている。
【００６１】
以上、本発明にかかるゴルフの成績記録装置による場合には、プレーに支障のない簡単な操作で、打球の経路がＧＰＳ受信器により充分な精度で記録される。その記録はゴルフの技術向上に有効な資料となる。また、プレイのスコアを記憶させることにより、手書きのスコアカードが不要になる。一方、ゴルフ場は、ＧＰＳ受信器の使用により、測位システムを必要とせず、導入にあたっての負担が少なく導入が容易となる。
【００６２】
【発明の効果】
本発明により、ゴルフ場において、プレイヤーにとってより楽しくプレイでき、同時にゴルフ場にとってプレイヤーのための管理及びサービスをリアルタイムに実行することができる。
本発明によれば、プレイの運行をスムーズに行えるので、より多くのプレイヤーの稼動が可能となるので、ゴルフ場の運営に多くの利点を与えることができる。
【００６３】
本発明のシステムによれば、ゴルファーは、打球の飛距離や、飛距離と選定クラブとの相関についての記録を残すこともできるし、また、コース図上に打球の経路が飛距離と共に表示されるので、一般のゴルファーが自らの技術を視覚的、数量的に把握できるので、自らの技術を正確に把握し、その技術を効果的に延ばすのに極めて有効な資料が得られる。また、ゴルフ場は、これをサービス向上に利用できる。
【図面の簡単な説明】
【図１】本発明のシステムを構成する位置測定装置、移動体に搭載された情報表示操作装置および管理サーバーが無線通信ネットワークを介して接続されている様子を示す概略図である。
【図２】位置測定装置の構成を示すブロック図である。
【図３】移動体に搭載された情報表示操作装置の構成を示すブロック図である。
【図４】管理サーバーの構成を示すブロック図である。
【図５】本発明の管理サーバーと、情報表示操作装置と、位置測定装置とが通信ネットワークを介して接続されている構成を示すブロック図である。
【図６】位置測定装置、情報表示操作装置および管理サーバーが無線通信ネットワークを介して接続されてデータが送信され、表示手段および表示操作手段に表示される態様を示すフローチャートである。
【図７】プレイヤーがプレイする際の、無線通信ネットワークを介して接続された位置測定装置、情報表示操作装置および管理サーバーによるプレイの支援の態様を具体的に示すフローチャートである。
【図８】本発明で提供できるアプリケーションシステムの例を示す図である。
【図９】移動表示操作装置上に表示されたグラフィックスコアカードの一例を示す図である。
【図１０】位置測定装置上にピンまでのヤーデージが表示されている様子を示す図である。
【符号の説明】
１．無線通信ネットワーク
１−１．無線通信中継基地
１−２．無線通信中継基地
１−３．無線通信中継基地
２−１．移動体
２−２．移動体
２−３．移動体
１０．位置測定装置
１０−１．位置測定装置
１０−２．位置測定装置
１０−３．位置測定装置
１１．位置測定手段、１２．無線通信手段、１３．表示手段、１４．音声再生手段、１５．音声発信手段
２０．移動表示操作装置
２０−１．移動表示操作装置
２０−２．移動表示操作装置
２０−３．移動表示操作装置
２１．位置測定手段、２２．無線通信手段、２３．表示操作手段、２４．音声再生手段、２５．音声発信手段、２６．データストック機
３０．管理サーバー
３１．地図情報システム、３２．情報処理プログラム、３３．アプリケーション、３４〜４０．記憶装置、４１．無線通信手段、４２．音声再生手段、４３．音声発信手段、４４．表示手段、４４−１．表示画面，４４−２．表示画面
【図１】
2004173792.tif 000003
【図２】
2004173792.tif 000004
【図３】
2004173792.tif 000005
【図４】
2004173792.tif 000006
【図５】
2004173792.tif 000007
【図６】
2004173792.tif 000008
【図７】
2004173792.tif 000009
【図８】
2004173792.tif 000010
【図９】
2004173792.tif 000011
【図１０】
2004173792.tif 000012